(57)【要約】【課題】水栓の構造を特に変更することなく、吐水口や操作部の位置，傾き等を変更可能な水栓の取付構造を提供する。【解決手段】水栓本体１２をカウンター等の取付基体１０の取付面３０に取り付けるに際し、水栓本体１２と別体を成し、取付面３０と直角な方向に対して傾斜した水栓取付部２９を有する筒状の取付アダプタ２８を取付基体１０と水栓本体１２との間に介挿した状態で、水栓本体１２を取付面３０に取り付けるようにする。【選択図】　　　　図１
2004092326.tif 000002
【特許請求の範囲】
【請求項１】
水栓本体をカウンター等の取付基体の取付面に取り付けるための水栓の取付構造であって、
前記水栓本体と別体を成し、前記取付面と直角な方向に対して傾斜した水栓取付部を有する筒状の取付アダプタを前記取付基体と水栓本体との間に介挿した状態で該水栓本体を前記取付面に取り付けるようになしたことを特徴とする水栓の取付構造。
【請求項２】
請求項１において、前記取付アダプタの前記水栓取付部に雄嵌合部を備える一方、前記水栓本体の下端部に雌嵌合部を設け、該雌嵌合部を該雄嵌合部に外嵌させた状態で該水栓本体と取付アダプタとを締結するようになしたことを特徴とする水栓の取付構造。
【請求項３】
請求項１，２の何れかにおいて、前記取付基体には、前記水栓本体を該取付基体に固定するための固定具が予め装着してあり、前記取付アダプタはその下端部が該固定具に対し固定可能な構造となしてあることを特徴とする水栓の取付構造。
【請求項４】
請求項３において、前記固定具には雄嵌合部が、また前記取付アダプタの下端部には雌嵌合部が設けてあり、該雌嵌合部を該雄嵌合部に外嵌させる状態で、該取付アダプタが該固定具に対して固定可能となしてあることを特徴とする水栓の取付構造。
【請求項５】
請求項１，２の何れかにおいて、前記取付アダプタには前記取付基体の取付孔を貫通して裏側に突き出す雄ねじ管が設けてあり、該取付基体の裏側において該雄ねじ管へのナットの締め込みにより、該取付アダプタが該取付基体に取付可能となしてあることを特徴とする水栓の取付構造。
【請求項６】
水栓本体をカウンター等の取付基体の取付面に取り付けるための水栓の取付方法であって、
前記水栓本体と別体を成し、前記取付面と直角な方向に対して傾斜した水栓取付部を有する筒状の取付アダプタを複数種類用意しておき、何れかの取付アダプタを選択して該選択した取付アダプタを、前記水栓本体と取付基体との間に介挿した状態に該水栓本体を前記取付面に取り付けることを特徴とする水栓の取付方法。
【発明の詳細な説明】
【０００１】
【発明の属する技術分野】
この発明は水栓の取付構造及び取付方法に関する。
【０００２】
【従来の技術及び発明が解決しようとする課題】
従来、水栓をカウンターや洗面器等の取付基体に取り付けるに際して、水栓本体を直接取付基体の上面（取付面）に取り付けていた。
【０００３】
ところで、本来水栓の操作部や吐水口の位置，傾き等は水栓使用者によって適正な位置，傾き等が様々であるにも拘わらず、従来の水栓の取付構造の場合、操作部や吐水口の位置，傾き等が水栓の種類によって自動的に一定位置に定まってしまう。
この場合、通常の健常者であれば操作部や吐水口の位置，傾き等がその人にとって適正な位置から少々ずれていたとしても、特に支障なく水栓を使用可能である。
【０００４】
しかしながら特に身体に障害を有する人の場合、例えば車椅子に座ったまま水栓の使用を余儀なくされる人や、或いは腰を痛めていて腰をかがめることなく伸ばしたままの姿勢で水栓を使用しなければならない人にとって、従来、水栓の操作部や吐水口の位置，傾き等が極めて操作ないし使用し辛い位置，傾きであったりする。
即ちそれらの人にとって従来の水栓は使用し辛いものであった。
【０００５】
この場合水栓を使用し易くするためには、既に設置してある水栓を取り除いて別の特殊な水栓を設置しなければならない。
しかしながら必ずしもそのような特殊な水栓装置があるとは限らず、またこれを特別に用意するとなると水栓製造のためのコストが高くなるとともに、極めて多種多様の水栓を予め用意しておかなければならなくなり、実際的にはそうしたことは現実的に困難である。
【０００６】
尤も水栓本体と取付基体との間に台座を介在させることで、操作部や吐水口の位置を高く調節し得るようにしたものも下記特許文献１に提案されている。
【０００７】
図６はその具体例を示している。
図中２００は水栓本体２０２と取付基体としての洗面器２０４との間に介挿された台座である。
尚２０６は水栓本体２０２の上部に設けられたシングルレバー式の操作部、２０８は水栓本体２０２から延び出した吐水管先端の吐水口である。
【０００８】
しかしながらこの特許文献１に開示の水栓の取付構造は、洗面器２０４の上面に被さるようにしてカウンターが取り付いた場合と、そのようなカウンターが取り付けられない場合とで、吐水口２０８の高さ位置を調節できるようになしたもので、従ってこの水栓の取付構造の場合、単に吐水口２０８及び操作部２０６の高さ位置が変化するのみであり、前後位置や傾き等については調節することができず、従って例えば身体障害者用に吐水口２０８や操作部２０６の前後位置や傾き等を調節できず、依然としてそのような人にとって水栓そのものが使用し辛いものである。
【０００９】
【特許文献１】
特開平６−２１２６７１号公報
【００１０】
【課題を解決するための手段】
本発明の水栓の取付構造及び取付方法は、このような課題を解決するために案出されたものである。
而して請求項１は水栓の取付構造に関するもので、水栓本体をカウンター等の取付基体の取付面に取り付けるための水栓の取付構造であって、前記水栓本体と別体を成し、前記取付面と直角な方向に対して傾斜した水栓取付部を有する筒状の取付アダプタを前記取付基体と水栓本体との間に介挿した状態で該水栓本体を前記取付面に取り付けるようになしたことを特徴とする。
【００１１】
請求項２は水栓の取付構造に関するもので、請求項１において、前記取付アダプタの前記水栓取付部に雄嵌合部を備える一方、前記水栓本体の下端部に雌嵌合部を設け、該雌嵌合部を該雄嵌合部に外嵌させた状態で該水栓本体と取付アダプタとを締結するようになしたことを特徴とする。
【００１２】
請求項３は水栓の取付構造に関するもので、請求項１，２の何れかにおいて、前記取付基体には、前記水栓本体を該取付基体に固定するための固定具が予め装着してあり、前記取付アダプタはその下端部が該固定具に対し固定可能な構造となしてあることを特徴とする。
【００１３】
請求項４は水栓の取付構造に関するもので、請求項３において、前記固定具には雄嵌合部が、また前記取付アダプタの下端部には雌嵌合部が設けてあり、該雌嵌合部を該雄嵌合部に外嵌させる状態で、該取付アダプタが該固定具に対して固定可能となしてあることを特徴とする。
【００１４】
請求項５は水栓の取付構造に関するもので、請求項１，２の何れかにおいて、前記取付アダプタには前記取付基体の取付孔を貫通して裏側に突き出す雄ねじ管が設けてあり、該取付基体の裏側において該雄ねじ管へのナットの締め込みにより、該取付アダプタが該取付基体に取付可能となしてあることを特徴とする。
【００１５】
請求項６は水栓の取付方法に関するもので、水栓本体をカウンター等の取付基体の取付面に取り付けるための水栓の取付方法であって、前記水栓本体と別体を成し、前記取付面と直角な方向に対して傾斜した水栓取付部を有する筒状の取付アダプタを複数種類用意しておき、何れかの取付アダプタを選択して該選択した取付アダプタを、前記水栓本体と取付基体との間に介挿した状態に該水栓本体を前記取付面に取り付けることを特徴とする。
【００１６】
【作用及び発明の効果】
以上のように本発明は、水栓本体とは別体を成し、取付基体の取付面と直角な方向に対して傾斜した水栓取付部を有する筒状の取付アダプタを、取付基体と水栓本体との間に介挿して水栓を取り付けるようになしたもので、本発明によれば、そのような取付アダプタを介して水栓本体を取付基体に取り付けることで、取付アダプタを介することなく水栓本体を直接取付基体に取り付けた場合に対し、吐水口や操作部の前後位置や高さ位置，傾き等を変更することが可能である。
【００１７】
例えば水栓取付部が前方に傾斜した取付アダプタを用いて水栓本体を取付基体に取り付けることで、操作部や吐水口の位置を前方に持ち来すことができ、またその傾きもその傾斜角度に応じて変更することが可能である。
従って車椅子を使用する身体障害者が水栓を使用するに際し、車椅子に腰を掛けたまま或いはまた特に腰を曲げなくても容易且つ楽に水栓を使用できるようになる。
【００１８】
またこのような取付アダプタを用いて吐水口や操作部等の位置，傾き等を変更することで、極めて多種類に及ぶ水栓の何れをも吐水口や操作部の位置，傾き等を変更できるようになる。
【００１９】
このように取付アダプタを用いるに際し、その水栓取付部に雄嵌合部を備えて、そこに水栓本体の下端部に設けた雌嵌合部を嵌合させ、その状態で水栓本体と取付アダプタとを締結するようになすことができる（請求項２）。
このようにすることで、取付アダプタと水栓本体との繋ぎ部分を違和感の無いすっきりとした構成とすることができる。
【００２０】
本発明においては、取付アダプタの下端部を、水栓本体を取付基体に固定するために予め取付基体に装着してある固定具に固定可能な構造となしておくことができる（請求項３）。
このようにすることで、本来水栓本体を取付基体に固定するための固定具をそのまま用いて取付アダプタを取付基体に固定でき、かかる取付アダプタを用いての水栓の取付けを簡単に行うことができる。
【００２１】
更に固定具をそのまま用いて取付アダプタを取付基体に固定する際、固定具に雄嵌合部を設けてそこに取付アダプタの下端部に設けた雌嵌合部を嵌合させ、その状態で取付アダプタを固定具に固定するようになすことができる（請求項４）。
【００２２】
一方、取付基体の取付孔を貫通して裏側に突き出す雄ねじ管を取付アダプタに設けておき、そして取付基体の裏側で雄ねじ管にナットを締め込むことで、取付アダプタを取付基体に固定するようになすこともできる（請求項５）。
この場合においても簡単に取付アダプタを取付基体に固定でき、ひいてはかかる取付アダプタを用いての水栓の取付けを簡単に行うことができる。
【００２３】
次に請求項６は水栓の取付方法に関するものであって、傾斜した水栓取付部を有する筒状の取付アダプタを複数種類用意しておき、何れかの取付アダプタを選択して水栓本体をその取付アダプタを介し取付基体に取り付けるもので、この取付方法によれば、予め用意してある複数の取付アダプタから適宜のものを選択して用いることで、吐水口や操作部等の位置，傾き等を水栓使用者に最も適した位置等に持ち来すことが可能となる。
【００２４】
【実施例】
次に本発明の実施例を図面に基づいて詳しく説明する。
図１において、１０はカウンター，洗面器等の取付基体で、１２は水栓本体である。
水栓本体１２からは吐水管１４が前方に延び出していて、その先端に吐水口１６が設けられている。
【００２５】
水栓本体１２の上部には操作部１８が設けられている。
操作部１８はシングルレバー式のもので、この操作部１８を左右回動操作することで吐水温度が調節され、また上下回動操作することで吐・止水を含む水量調節が行われる。
【００２６】
水栓本体１２には弁部２２が内蔵されている。
弁部２２は、セラミックディスクから成る固定弁体２４と、その上面を移動する可動弁体２６とを有しており、その可動弁体２６に対し操作部１８が駆動アーム２０を介して作動的に連結されている。
【００２７】
この弁部２２は、操作部１８が左右方向に回動操作されると、その動きが駆動アーム２０を介して可動弁体２６に伝えられ、可動弁体２６が固定弁体２４の上面を回転運動して湯と水の混合比率を変化させる。即ち吐水の温度を調節する。一方操作部１８が上下方向に回動操作されると、可動弁体２６が固定弁体２４の上面を図１中左右方向に摺動運動して吐水，止水及び水量調節を行う。
【００２８】
２８は水栓本体１２と取付基体１０との間に介挿された筒状の取付アダプタで、取付基体１０の取付面３０から直立する直立部３２と傾斜部３３とを有しており、その上端部に水栓取付部２９が設けられている。
ここで傾斜部３３、具体的には水栓取付部２９は、取付面３０と直角方向に対し前方に角度αで傾斜している。詳しくは、この水栓取付部２９に備えられた後述の雄嵌合部４６が、取付面３０と直角方向に対し前方に角度αで傾斜している。
【００２９】
水栓本体１２の下端部には雌嵌合部４８が設けられており、この雌嵌合部４８が取付アダプタ２８の上端部、具体的には傾斜部３３の上端部に設けられた雄嵌合部４６に対し外嵌されている。
この雌嵌合部４８において取付アダプタ２８の雄嵌合部４６に外嵌された水栓本体１２は、それら雄嵌合部４６及び雌嵌合部４８を側面から貫通してねじ込まれた締結ビス５０により取付アダプタ２８に締結され、以って水栓本体１２が取付アダプタ２８から抜止め且つ回り止めされている。
尚締結ビス５０は、化粧キャップ５２にてその内側に隠蔽されている。
【００３０】
取付アダプタ２８は、その下端部が固定具３４を介し取付基体１０に取付固定されている。
固定具３４は円筒状の部材であって、取付基体１０の裏面に位置させられた一対の爪３６とボルト３８で結合されており、そのボルト３８のねじ込みにより、爪３６とともに取付基体１０を表裏両側から強く挟み込み、その挟持力によって固定具３４が取付基体１０に固定されている。
【００３１】
この固定具３４は取付基体１０に対しその上面側、即ち取付面３０側から取付基体１０に取付可能である。
具体的には、一対の爪３６を一対のボルト３８により吊った状態で、それら爪３６を閉方向（互いの先端が接近する方向）に回転移動させておき、その状態で一対の爪３６を取付面３０の側から取付基体１０の取付孔４０に挿通し、一対の爪３６のそれぞれを取付基体１０の裏側に位置させる。
【００３２】
その状態でボルト３８の回転操作により一対の爪３６を開動作させて、各爪３６の先端部を取付基体１０の裏面に対向して位置させ、その状態でボルト３８をねじ込んで行くと、ここにおいて固定具３４と一対の爪３６とが取付基体１０を表裏両側から強く挟み込み、ここにおいて固定具３４が取付面３０に固定状態となる（図２参照）。
【００３３】
上記取付アダプタ２８における直立部３２の下端部は雌嵌合部４２とされている。
一方固定具３４は、その全体が雄嵌合部とされていて、そこに取付アダプタ２８の雌嵌合部４２が取付面３０に着座する位置まで外嵌されている。
そしてその状態で雌嵌合部４２が、側面からこれを貫通して固定具３４にねじ込まれた締結ビス４４により、固定具３４に対し締結固定されている。
【００３４】
５４は水栓本体１２、詳しくは弁部２２に対し水，湯を供給するためのサプライ管で、ここでは可撓性のホースにて構成されている。
このサプライ管５４は、その上端部が水栓本体１２に接続されて、サプライ管５４を通じて送られて来た水，湯がそれぞれ弁部２２へと供給される。
【００３５】
図３に、取付アダプタ２８を介して水栓本体１２を取付基体１０に固定した本例の取付構造（図３中（Ｂ））と、そのような取付アダプタ２８を用いないで直接水栓本体１２を取付基体１０に固定した従来の取付構造（図３中（Ａ））とを比較して示してある。
【００３６】
図示のように前方への傾斜部３３を有する取付アダプタ２８を用いて水栓の取付けを行うことで、取付アダプタ２８を用いずに直接水栓の取付けを行った場合に対し、吐水口１６，操作部１８の位置をより前方へと持ち来すことができ、またその高さ位置、更には傾きも図３（Ａ）に示す従来の水栓の取付構造に対して変更することができる。
【００３７】
図４は本発明の他の実施例を示している。
この例は上例とは異なった形態の取付アダプタ２８を用いた場合の例で、この取付アダプタ２８は下部に直立部３２を、上部に傾斜部３３を有している点で上記実施例と同様であるが、ここでは傾斜部３３における上端部の水栓取付部２９の傾斜角度、具体的には雄嵌合部４６の傾斜角度が取付面３０と直交方向に対し角度βで且つ後方向に傾斜している。
尚他の点については基本的に第１の実施例と同様である。
【００３８】
以上のような本例の水栓の取付構造によれば、例えば前方に傾斜した取付アダプタ２８を用いて水栓本体１２を取付基体１０に取り付けることで、操作部１８や吐水口１６の位置を前方に持ち来すことができ、またその傾きもその傾斜部３３の傾斜角度に応じて変更することができる。
従って車椅子を使用する身体障害者が水栓を使用するに際し、車椅子に腰を掛けたまま或いはまた特に腰を曲げなくても容易且つ楽に水栓を使用できる。
【００３９】
またこのような取付アダプタ２８を用いることで、極めて多種類に及ぶ水栓の何れをも吐水口１６や操作部１８等の位置，傾き等を変更することができる。
【００４０】
また本例に従って取付アダプタ２８の上端部の雄嵌合部４６に対して水栓本体１２の下端部の雌嵌合部４８を嵌合させてそれらを締結することで、取付アダプタ２８と水栓本体１２との繋ぎ部分を違和感の無いすっきりとした構成とすることができる。
【００４１】
また本例においては取付アダプタ２８の下端部に雌嵌合部４２を設けて、これを水栓本体１２を取付基体１０に固定するために予め取付基体１０に装着してある固定具３４に外嵌し、固定できるようにしてあることから、本来水栓本体１２を取付基体１０に固定するための固定具３４をそのまま用いて取付アダプタ２８を取付基体１０に固定でき、取付アダプタ２８を用いての水栓の取付けを簡単に行うことができる。
【００４２】
更に本例の水栓の取付方法によれば、予め用意してある複数種類の取付アダプタ２８を適宜選択して用いることで、吐水口１６や操作部１８等の位置，傾き等を水栓使用者に最も適した位置に持ち来すことができる。
【００４３】
図５は本発明の更に他の実施例を示している。
この例は、取付面３０から上側部分が図１に示すのと同じ形態の取付アダプタ２８において、取付孔４０を挿通して下向きに突き出す雄ねじ管５６を一体に設け、そこに取付基体１０の裏側から締付ナット５８を締め込んで、その締付ナット５８と段付部６０とにより取付基体１０を表裏両側から挟み込む状態に取付アダプタ２８を取付基体１０に固定するようになした例である。
他の点については上記第１の実施例と基本的に同様である。
【００４４】
このようにすることで、簡単に取付アダプタ２８を取付基体１０に固定でき、ひいてはかかる取付アダプタ２８を用いての水栓の取付けを簡単に行うことができる。
【００４５】
以上本発明の実施例を詳述したがこれはあくまで一例示である。
例えば本発明においては取付アダプタを全体的に傾斜させておくこともできるし、或いはまた上例以外の他の様々な取付アダプタを用いて水栓の取付けを行うようになすことが可能であるなど、本発明はその主旨を逸脱しない範囲において種々変更を加えた形態，態様で構成，実施可能である。
【図面の簡単な説明】
【図１】本発明の一実施例の水栓取付構造を示す図である。
【図２】図１の水栓本体と取付アダプタと固定具とを分解して示した図である。
【図３】図１の水栓取付構造を従来の水栓取付構造と比較して示した図である。
【図４】本発明の他の実施例の図である。
【図５】本発明の更に他の実施例の図である。
【図６】従来公知の水栓取付構造の一例を示す図である。
【符号の説明】
１０　取付基体
１２　水栓本体
２８　取付アダプタ
２９　水栓取付部
３０　取付面
３４　固定具
４０　取付孔
４２　雌嵌合部
４６　雄嵌合部
４８　雌嵌合部
５６　雄ねじ管
５８　締付ナット
【図１】
2004092326.tif 000003
【図２】
2004092326.tif 000004
【図３】
2004092326.tif 000005
【図４】
2004092326.tif 000006
【図５】
2004092326.tif 000007
【図６】
2004092326.tif 000008